(57)【要約】【課題】ノイズフィルターの冷却性能を確保しつつ、配線作業が簡単な高周波加熱装置を提供する。【解決手段】エアガイド１６の隔壁面に設けられた複数の穴１７を、ノイズフィルター１５の部品面とエアガイド１６に区切られた面に設けることで、ノイズフィルター１５の設置性の課題解決と冷却性能の向上を図る。【選択図】図３
2011170984.tif 000002
【特許請求の範囲】
【請求項１】
食品を加熱する加熱室と、前記加熱室に高周波を供給する高周波発生手段と、前記高周波発生手段を駆動する駆動電源と、前記高周波発生手段と前記駆動電源を冷却する冷却ファンと、前記冷却ファンの送風ガイドであるエアガイドと、前記高周波発生手段および前記駆動電源から発生する雑音を抑制するノイズフィルターとを備え、
前記ノイズフィルターは、前記エアガイドの前記冷却ファン側に取り付けられ、前記ノイズフィルターの部品面と前記エアガイドとの間の隔壁に複数の冷却用穴を構成した高周波加熱装置。
【請求項２】
隔壁に開けられた穴の一部は、ノイズフィルターの配線部分に対応することを特徴とした請求項１記載の高周波加熱装置。
【請求項３】
隔壁に開けられた穴の一部は、ノイズフィルターのキャパシタ、インダクタの両方、あるいは、いずれか一方に対応することを特徴とした請求項１または２記載の高周波加熱装置。
【発明の詳細な説明】
【技術分野】
【０００１】
本発明は、電子レンジ等の高周波加熱装置の電磁的雑音の抑制を目的とする、ノイズフィルターの冷却構成、ならびに高周波加熱装置への組込み構成に関するものである。
【背景技術】
【０００２】
従来、この種の高周波加熱装置のノイズフィルターは、冷却ファンの送風ガイドを兼用した、エアガイドに取り付けられているものがある（例えば、特許文献１参照）。
【０００３】
また、雑音抑制効果を高めるために、ノイズフィルター上の受動素子の冷却効果を高める目的で、冷却ファンの送風ガイドを兼ねたエアガイドの壁面のうち、冷却ファン側の壁面に取り付け、冷却風の風路上にノイズフィルターを取付けられたものもある（例えば、特許文献２参照）。
【０００４】
図４は、特許文献１に記載された従来の高周波加熱装置を示すものである。
【０００５】
図４に示すように、ノイズフィルター基板４１と、送風ガイドを兼ねたエアガイド４２と、冷却ファン４３から構成されている。
【０００６】
また、図５は、特許文献２に記載された従来の高周波加熱装置を示すものである。
【０００７】
図５に示すように、ノイズフィルター基板５１と、高周波発振手段であるマグネトロン５２と、マグネトロン５２を駆動する駆動電源５３と、冷却ファン５５の送風ガイドと駆動電源５３の保持を兼ねたエアガイド５４とから構成されている。
【先行技術文献】
【特許文献】
【０００８】
【特許文献１】特開平１１−１５９７６７号公報
【特許文献２】特開平０７−１０６０６２号公報
【発明の概要】
【発明が解決しようとする課題】
【０００９】
しかしながら、前記特許文献１の従来の構成では、ノイズフィルター基板４１が、冷却ファン４３の冷却経路外に配置されており、かつ、高周波加熱装置の機械室の上部に配置されていることから、ノイズフィルター基板４１に対する配線作業が容易な一方、ノイズフィルター基板４１上に配置される発熱部品であるフューズの接続部やフィルターコイル、キャパシタなどの冷却性能が劣り、フィルターコイル等を性能確保のために大型化する必要があるなどの課題を有していた。
【００１０】
また、前記特許文献２の従来の構成では、ノイズフィルター基板５１が冷却ファン５５の冷却経路内に配置されており、発熱部品であるフューズの接続部やフィルターコイル、キャパシタなどの冷却性能に対しては有利な一方、ノイズフィルター基板５１上への配線作業が難しいという課題を有していた。
【００１１】
本発明は、前記従来の課題を解決するもので、ノイズフィルターの冷却性能を確保しつつ、ノイズフィルターへの配線作業も簡単で、フィルターコイル等の形状を小型化できる高周波加熱装置を提供することを目的とする。
【課題を解決するための手段】
【００１２】
前記従来の課題を解決するために、本発明の高周波加熱装置は、食品を加熱する加熱室と、加熱室に高周波を供給する高周波発生手段と、高周波発生手段を駆動する駆動電源と、前記高周波発生手段と駆動電源を冷却する冷却ファンと、前記冷却ファンの送風ガイドであるエアガイドと、前記高周波発生手段および駆動電源から発生する雑音を抑制するノイズフィルターとを備え、前記ノイズフィルターは前記エアガイドの冷却ファン側に取り付けられ、前記ノイズフィルター基板の部品搭載面とエアガイドの間の隔壁に複数の冷却用穴を構成したものである。
【００１３】
これによって、ノイズフィルター基板の部品搭載面とエアガイドよって仕切られたエアガイド壁面に設けられた複数の穴によって冷却風のショートサーキット回路を発生させ、そのショートサーキット部にノイズフィルターの発熱部品を配置することにより冷却性能を改善することができる。
【００１４】
また、本発明の高周波加熱装置は、前述の構成に加え、前記壁面に開けられた穴の一部を前記ノイズフィルターの配線部分に対応させたことを特徴としたものである。
【００１５】
これによって、エアガイド面から垂直に配線を挿入することで配線作業を行うことができ、高周波加熱装置の組立工程における配線作業の合理化と、ノイズフィルターの冷却性能の改善とを両立することができる構成となる。
【００１６】
さらに、本発明の高周波加熱装置は、前記壁面に開けられた穴の一部を前記ノイズフィルター基板のキャパシタ、インダクタの両方、あるいは、いずれか一方を対応させることを特徴としたものである。
【００１７】
これによって、雑音抑制効果を得るためにキャパシタ部品やインダクタンス部品が大型化した場合でも、ノイズフィルター基板の入力／出力端子が容易に抜差し可能になり、また、このような大型部品は発熱部品であることが多いため、その穴自体が冷却経路のショートサーキット回路になり、当該部品の冷却性能を高める効果がある。
【発明の効果】
【００１８】
本発明の高周波加熱装置は、ノイズフィルターの冷却性能を確保しつつ、配線作業も簡単で、フィルターコイル等の形状を小型化できる高周波加熱装置を提供することができる。
【図面の簡単な説明】
【００１９】
【図１】本発明の実施の形態１における高周波加熱装置の斜視図
【図２】本発明の実施の形態２における高周波加熱装置の要部斜視図
【図３】本発明の実施の形態３における高周波加熱装置の要部斜視図
【図４】従来の高周波加熱装置の第１の例の要部斜視図
【図５】従来の高周波加熱装置の第２の例の側面図
【発明を実施するための形態】
【００２０】
第１の発明は、食品を加熱する加熱室と、加熱室に高周波を供給する高周波発生手段と、高周波発生手段を駆動する駆動電源と、前記高周波発生手段と駆動電源を冷却する冷却ファンと、前記冷却ファンの送風ガイドであるエアガイドと、前記高周波発生手段および駆動電源から発生する雑音を抑制するノイズフィルターとを備え、前記ノイズフィルターは前記エアガイドの冷却ファン側（送風の吸込み側）に取り付けられ、前記ノイズフィルター基板の部品搭載面とエアガイドよって仕切られたエアガイド壁面に設けられた複数の冷却用穴を構成することにより、ノイズフィルター基板の部品搭載面とエアガイドよって
仕切られたエアガイド壁面に設けられた複数の穴によって、冷却風のショートサーキット回路が発生させ、そのショートサーキット部にノイズフィルターの発熱部品を配置することにより冷却性能を改善することができる。
【００２１】
第２の発明は、特に、第１の発明の高周波加熱装置を、前記隔壁に開けられた穴の一部を前記ノイズフィルターの配線部分に対応させたことを特徴としたことにより、エアガイドの上部から配線作業を行うことができ、配線作業の合理化と冷却性能の改善を両立する構成とすることができる。
【００２２】
第３の発明は、特に、第１または第２の発明の高周波加熱装置を、前記隔壁に開けられた穴の一部を前記ノイズフィルター基板のキャパシタ、インダクタ部品に対応させることを特徴としたものとすることにより、キャパシタ部品やインダクタンス部品が大型化した場合でも、ノイズフィルター基板の入力／出力端子が容易に抜差し可能になり、また、大型部品は発熱部品であることが多いため、その穴自体が冷却経路のショートサーキットになり、当該部品の冷却性能を高める効果がある。
【００２３】
以下、本発明の実施の形態について、図面を参照しながら説明する。なお、この実施の形態によって本発明が限定されるものではない。
【００２４】
（実施の形態１）
図１は、本発明の第１の実施の形態における高周波加熱装置の斜視図を示すものである。
【００２５】
図１において、食品（図示せず）を加熱する加熱室１１と、前記加熱室に高周波電力を供給する高周波発生手段１２（本例の場合はマグネトロン）と、前記高周波発生手段を駆動するための駆動電源１３と、前記高周波発生手段１２と駆動電源１３を冷却する冷却ファン１４と、前記高周波発生手段１２と駆動電源１３等から発生する電磁的雑音を抑制するためのノイズフィルター１５と、前記冷却ファン１４とノイズフィルター１５の保持を兼ねたエアガイド１６と、エアガイド１６の隔壁面に設けられた複数の穴１７とから構成されている。
【００２６】
以上のように構成された高周波加熱装置について、以下その動作、作用を説明する。
【００２７】
まず、エアガイド１６の隔壁面に設けられた複数の穴１７を、ノイズフィルター１５の部品面（図１上では上面をさす）とエアガイド１６に区切られた空間の高周波発生手段１２側の面に設けることで、冷却ファン１４から送り出された冷却風の一部は図示のように複数の穴１７を通過し、ノイズフィルター１５の部品を冷却し、加熱室の裏板１８とノイズフィルター１５の空間を通じて、冷却ファン１４に戻るショートサーキット回路を意図的に設けることで、ノイズフィルター１５の設置性の課題解決と冷却性能の向上を図ることができる。
【００２８】
以上のように、本実施の形態においては、エアガイド１６に設けられた複数穴１７を、ノイズフィルター１５の部品面とエアガイド１６で仕切られた空間の１面に設けることにより、ノイズフィルター１５の部品面上を流れるショートサーキットを作ることができ、ノイズフィルター１５の設置性の課題解決と冷却性能の向上を図ることができる。
【００２９】
（実施の形態２）
図２は、本発明の第２の実施の形態の高周波加熱装置の要部斜視図である。
ここで、２１はノイズフィルター１５への入出力配線に設けられたリセプタクルのハウジングである。それ以外は、実施の形態１の記載の符号と同様である。
【００３０】
以上のように構成された高周波加熱装置について、以下その動作、作用を説明する。
【００３１】
実施の形態１において、ノイズフィルター１５の配線の引廻しは、図１の穴１９（エアガイド１６の上面上）を介して行われるが、その配線作業は一旦固定した後は、再度エアガイド部を分解して実施する必要があり、サービス時の負担になることが想定される。
図２において、ノイズフィルター１５の入出力の端子部に対応するエアガイド１６の上面に穴を開け、その穴を介してノイズフィルター１５の配線を行う。
【００３２】
また、図示したように、リセプタクルのハウジング２１を介した配線を行うこともできる。
【００３３】
以上のように、本実施の形態においてはエアガイド１６上のノイズフィルター１５の入出力端子に対応する部分に穴を開けることにより、あらかじめノイズフィルター１５を組込んだエアガイド１６を加熱室１の裏板１８に取付けた後から配線作業が可能となり、冷却性能を確保した上に、組立上の作業性の向上を実現することができる。
【００３４】
（実施の形態３）
図３は、本発明の第３の実施の形態の高周波加熱装置の要部斜視図である。
ここで、３１はノイズフィルター１５に配設された雑音抑制用のインダクタ（本実施例ではコモンモードコイル）である。それ以外は実施の形態１、２の記載番号と同様である。
【００３５】
以上のように構成された高周波加熱装置について、以下その動作、作用を説明する。
【００３６】
高周波加熱装置用のノイズフィルター１５には、通常、インダクタ３１（コモンモードコイル）、ノイズフィルター１５の入力側／出力側の電源ライン間に配設されたキャパシタ（Ｘコンデンサ）、出力側のライン・アース間に配設された２個のキャパシタ（Ｙコンデンサ）等から構成される。
【００３７】
この中で、動作に伴う自己発熱が大きいものが、第一にインダクタ３１（コモンモードコイル）であり、次にキャパシタ（Ｘコンデンサ）が上げられる。
【００３８】
当発明におけるノイズフィルター１５の冷却は、冷却風のショートサーキット回路を用いているので、高周波加熱装置の仕向地や公称出力大きさによっては冷却不足が発生する可能性が考えられる。
【００３９】
このため、ノイズフィルター１５のインダクタ部品３１（コモンモードコイル）に対応したエアガイド１６上に穴を開け、インダクタ部品３１の一部をエアガイド１６上からはみ出させる事により、その部分にも冷却風のショートサーキット回路を設け冷却性能を一段と向上させることができる。
【００４０】
以上のように、本実施の形態においては、エアガイド１６上のノイズフィルター１５のインダクタ部品３１に対応する部分に、穴を開けることにより、自己発熱の大きな部品に対して、冷却性能を高めることができる。
【００４１】
また、インダクタ部品３１のほかに、他の発熱部品であるキャパシタ部品（Ｘコンデンサ）等にも同じような構成をとることが可能であることは自明である。
【００４２】
さらに、本実施の形態のノイズフィルターの位置を変更させることで、特に、インダクタ部品３１の冷却性能の向上を図ることが可能であるとともに、同時に、ノイズフィルタ
ー１５の配線用のリセプタクルのハウジング２１の挿抜が容易になるという効果も得られる。
【００４３】
また、インダクタ部品３１の冷却性能が改善することにより、インダクタ部品の形状を小型化できる場合もある。
【００４４】
本実施の形態のエアガイドは樹脂製を想定しているが、規定の絶縁距離を確保することで、金属製のエアガイドも使用可能である。
【産業上の利用可能性】
【００４５】
以上のように、本発明にかかる高周波加熱装置は、ノイズフィルターの冷却性能を確保しつつ、配線作業も簡単で、フィルターコイル等の形状を小型化した高周波加熱装置を提供することが可能となる。
【符号の説明】
【００４６】
１４  冷却ファン
１５  ノイズフィルター
１６  エアガイド
３１  インダクタ部品
【図１】
2011170984.tif 000003
【図２】
2011170984.tif 000004
【図３】
2011170984.tif 000005
【図４】
2011170984.tif 000006
【図５】
2011170984.tif 000007